(57)【要約】      （修正有）【課題】操作部が複数の操作機能を有していながら、操作部の操作機能が理解しやすい誘導加熱調理器を提供する。【解決手段】加熱コイルと、加熱コイルの加熱動作を設定する複数の操作部と、幅方向に分割された少なくとも２つ以上の分割表示領域６１，６２，６３を有する表示部と、分割表示領域は、それぞれ、奥行き方向にさらに分割された上表示領域７１，７３，７５と下表示領域７２，７４，７６とを有し、分割表示領域の上表示領域に、設定された加熱動作の内容を表示し、分割表示領域の下表示領域に、対応する操作部の操作機能を示す、誘導加熱調理器である。【選択図】図７
2020035707.tif 000002
【特許請求の範囲】
【請求項１】
加熱コイルと、
前記加熱コイルの加熱動作を設定する複数の操作部と、
幅方向に分割された少なくとも２つ以上の分割表示領域を有する表示部と、を備え、
前記分割表示領域は、それぞれ、奥行き方向にさらに分割された上表示領域と下表示領域とを有し、
前記分割表示領域の前記上表示領域に、設定された加熱動作の内容を表示し、
前記分割表示領域の前記下表示領域に、対応する前記操作部の操作機能を示す、
誘導加熱調理器。
【請求項２】
前記複数の操作部のうち設定操作が無効状態になっている操作部がある場合は、無効状態になっている操作部に対応する分割表示領域の下表示領域に何も表示をさせない、
請求項１に記載の誘導加熱調理器。
【請求項３】
前記分割表示領域の前記上表示領域の奥行き方向の長さが、前記下表示領域の奥行き方向の長さよりも長い、
請求項１または２に記載の誘導加熱調理器。
【請求項４】
前記分割表示領域の前記下表示領域は、それぞれ、対応する前記操作部のそれぞれと奥行き方向に互いに対向して配置されている。
請求項１から３のいずれか１つに記載の誘導加熱調理器。
【請求項５】
少なくとも２つ以上の前記分割表示領域のそれぞれの上表示領域を結合して、ユーザに行動を促す案内を表示する、
請求項１から４のいずれか１つに記載の誘導加熱調理器。
【請求項６】
前記加熱コイルを複数個備え、
前記表示部は前記加熱コイルのそれぞれに対応して配置されている、
請求項１から５のいずれか１つに記載の誘導加熱調理器。
【請求項７】
２つの前記操作部の操作内容が１つの前記分割表示領域に表示される、
請求項１から６のいずれか１つに記載の誘導加熱調理器。
【請求項８】
調理工程を案内するアシストメニューを備え、
前記加熱コイルの加熱量を調整する加熱メニューを選択可能なメニュー選択モードから前記アシストメニューを選択可能なアシストメニュー選択モードへ移行する際に、前記アシストメニュー選択モードへの切り替えを示す切り替え表示を前記表示部に表示する、
請求項１から７のいずれか１つに記載の誘導加熱調理器。
【請求項９】
前記アシストメニューの選択時には、前記上表示領域のそれぞれを結合して一つの表示領域とし、結合した表示領域に前記調理工程を表示する、
請求項８に記載の誘導加熱調理器。
【発明の詳細な説明】
【技術分野】
【０００１】
本開示は、誘導加熱調理器に関し、特に操作部と表示部とを備える誘導加熱調理器に関する。
【背景技術】
【０００２】
従来、誘導加熱調理器は、加熱コイルに流す電流を制御することで加熱コイルからの加熱量を調整することができる。ユーザは、操作ボタンからの指示によって、加熱量を調整することができる。また、その他にも、例えば、タイマー設定することでタイマー時間経過後に加熱コイルからの加熱を停止することもできる。このように、ユーザは、操作ボタンを押下することで様々な指示をすることができる。
【０００３】
例えば、特許文献１の加熱調理器では、加熱コイルの入／切ボタンを加熱調理器の天面に、加熱コイルの火力調整する加熱口操作ダイヤルを本体の前側面部に設けている。また、タイマー時間の設定をするための３ｋＷボタンが天面に配置され、ユーザが使用する一般鍋の鍋情報を登録するための鍋登録ボタンが天面に配置されている。また、所定回数押すことで油の量を設定することができる揚げ物ボタンも天面に配置されている。しかしながら、誘導加熱調理器に配置できる操作部の数にはレイアウト上の制限があるので、全ての操作機能に対して個別に対応する操作部を配置することは困難である。
【０００４】
そこで、特許文献１の誘導加熱調理器では、複数の操作機能を有する操作部も配置されている。例えば、本体の前側面部設けられた加熱口操作ダイヤルは、揚げ物をする場合、油の温度設定ダイヤルとして機能する。
【先行技術文献】
【特許文献】
【０００５】
【特許文献１】特開２０１３−１３７９１７号公報
【発明の概要】
【発明が解決しようとする課題】
【０００６】
しかしながら、従来の誘導加熱調理器では、複数の操作機能を有する操作部を配置する場合、ボタンの名称やマークと操作機能とが異なるので、ユーザにとって直感的に操作しづらい課題がある。また、１つの操作部に対する操作機能の数を低減すれば、操作部の数を増やさなければならず、加熱調理器の天面に数多くの操作部が配置されてかえって操作しにくくなる。
【０００７】
したがって、本開示の目的は、前記課題を解決することにあって、操作部が複数の操作機能を有していながら、操作部の操作機能が理解しやすい誘導加熱調理器を提供することにある。
【課題を解決するための手段】
【０００８】
前記目的を達成するために、本開示の一態様に係る誘導加熱調理器は、
加熱コイルと、
前記加熱コイルの加熱動作を設定する複数の操作部と、
幅方向に分割された少なくとも２つ以上の分割表示領域を有する表示部と、を備え、
前記分割表示領域は、それぞれ、奥行き方向にさらに分割された上表示領域と下表示領域とを有し、
前記分割表示領域の前記上表示領域に、設定された加熱動作の内容を表示し、
前記分割表示領域の前記下表示領域に、対応する前記操作部の操作機能を示す。
【発明の効果】
【０００９】
操作部が複数の操作機能を有していながら、操作部の操作機能が理解しやすい誘導加熱調理器を提供することができる。
【図面の簡単な説明】
【００１０】
【図１】実施の形態に係る加熱調理器の斜視図
【図２】加熱調理器の制御系を示すブロック図
【図３】加熱調理器の構成を概略的に示す図
【図４】加熱調理器の操作部と表示部を示す上面図
【図５】操作部と表示部の一例を示す上面図
【図６】操作部と表示部の一例を示す上面図
【図７】操作部と表示部の一例を示す上面図
【図８】操作部と表示部の一例を示す上面図
【図９】操作部と表示部の一例を示す上面図
【図１０】操作部と表示部の一例を示す上面図
【図１１】操作部と表示部の一例を示す上面図
【図１２】操作部と表示部の一例を示す上面図
【図１３】操作部と表示部の一例を示す上面図
【図１４】操作部と表示部の一例を示す上面図
【図１５】操作部と表示部の一例を示す上面図
【図１６】アシストメニューの実施の流れを示すフローチャート
【発明を実施するための形態】
【００１１】
本開示の一態様によれば、加熱コイルと、
前記加熱コイルの加熱動作を設定する複数の操作部と、
幅方向に分割された少なくとも２つ以上の分割表示領域を有する表示部と、を備え、
前記分割表示領域は、それぞれ、奥行き方向にさらに分割された上表示領域と下表示領域とを有し、
前記分割表示領域の前記上表示領域に、設定された加熱動作の内容を表示し、
前記分割表示領域の前記下表示領域に、対応する前記操作部の操作機能を示す。
【００１２】
このような構成によれば、操作部の操作機能が、分割表示領域の下表示領域に示されるので、複数の操作内容を指示可能な操作部であっても、ユーザはどの操作部を操作すればよいか理解しやすい。また、操作部の名称やマークと操作機能が異なったとしても、分割表示領域の下表示領域に示される操作機能を確認することができるので、操作ミスを防止することができる。また、分割表示領域の上表示領域に、設定された加熱動作の内容が示されているので、ユーザは、どの程度操作指示を出せばよいか理解しやすい。さらに、１つの操作部に対して複数の操作機能を持たせることができるので、操作部の数を低減することもでき、加熱調理器上における操作部のレイアウトを容易にする。
【００１３】
また、複数の操作部のうち設定操作が無効状態になっている操作部がある場合は、無効状態になっている操作部に対応する分割表示領域の下表示領域に何も表示をさせなくてもよい。
【００１４】
また、前記分割表示領域の前記上表示領域の奥行き方向の長さが、前記下表示領域の奥行き方向の長さよりも長くてもよい。
【００１５】
また、前記分割表示領域の前記下表示領域は、それぞれ、対応する前記操作部のそれぞれと奥行き方向に互いに対向して配置されてもよい。
【００１６】
また、少なくとも２つ以上の前記分割表示領域のそれぞれの上表示領域を結合して、ユーザに行動を促す案内を表示してもよい。
【００１７】
また、前記加熱コイルを複数個備え、
前記表示部は前記加熱コイルのそれぞれに対応して配置されてもよい。
【００１８】
また、２つの前記操作部の操作内容が１つの前記分割表示領域に表示されてもよい。
【００１９】
また、調理工程を案内するアシストメニューを備え、
前記加熱コイルの加熱量を調整する加熱メニューを選択可能なメニュー選択モードから前記アシストメニューを選択可能なアシストメニュー選択モードへ移行する際に、前記アシストメニュー選択モードへの切り替えを示す切り替え表示を前記表示部に表示してもよい。
【００２０】
前記アシストメニューの選択時には、前記上表示領域のそれぞれを結合して一つの表示領域とし、結合した表示領域に調理工程を表示してもよい。
【００２１】
ここで、複数の分割表示領域への分割とは、１つの表示部の中に複数の表示領域を区分し、表示領域ごとに異なる情報を表示することをいう。また、分割表示領域の結合とは、隣接した分割表示領域を統合して１つの表示領域として情報を表示することをいう。
【００２２】
（実施の形態）
以下に、本開示の実施の形態に係る加熱調理器について図１から図３を参照して説明する。図１は、本開示の実施の形態１に係る加熱調理器１の斜視図である。図２は、実施の形態に係る加熱調理器１の制御系を示すブロック図である。図３は、加熱調理器の構成を概略的に示す図である。なお、各図において、Ｘ軸方向は加熱調理器の幅方向（長手方向）を示し、Ｙ軸方向は奥行き方向（短手方向）を示し、Ｚ軸方向は高さ方向を示す。また、Ｘ軸の正の方向を右方、負の方向を左方とする。また、Ｙ軸の正の方向を後方、負の方向を前方とする。
【００２３】
《加熱調理器》
図１に示すように、加熱調理器１は、本体３と、本体３の上側部として、容器が載置されるトッププレート５を有する。容器には、例えば、シチューなどの調理対象としての被加熱物が収容されている。
【００２４】
実施の形態の場合、加熱調理器１は、誘導加熱調理器であって、トッププレート５における容器載置領域の下方には、本体３の内部に加熱調理器１の加熱部として加熱コイル７、８、９が配置されている。加熱コイル７〜９は、容器を加熱するために誘導磁界を発生させる。なお、加熱調理器１は、複数個の加熱コイル７〜９を備えるが、１個の加熱コイルだけを備える構成でもよい。
【００２５】
図１に示すように、容器載置領域を示すリング状のマーカ１１、１２、１３が、それぞれ、対応する加熱コイル７〜９の上方のトッププレート５上に印刷されている。上面視において、加熱コイル７、８のそれぞれの外側には、リング状に光る発光部１５、１６がトッププレート５に配置されている。また、加熱コイル９の前側には、円弧形状の発光部１７がトッププレート５に配置されている。発光部１５〜１７は、例えば、対応するそれぞれの加熱コイル７〜９に電流が流れているときに発光する。発光部１５〜１７は、それぞれ、例えば、ＬＥＤ発光基板を有する。
【００２６】
また、トッププレート５には、マーカ１１〜１３の内側に温度センサ１８が配置されている。温度センサ１８が検出した検出値は、制御部３１へ送られる。制御部３１は、温度検出値を基に、加熱コイル７〜９の電流量を調整したり、調理方法のアシスト案内をするタイミングを決定する。
【００２７】
加熱コイル７〜９のそれぞれをユーザが操作するための操作入力部１９、２０、２１が加熱調理器１のトッププレート５の前側に配置されている。操作入力部１９と加熱コイル７、操作入力部２０と加熱コイル８、操作入力部２１と加熱コイル９とは、それぞれ対応している。
【００２８】
操作入力部１９〜２１の操作対象の状態を示す表示部２３、２４、２５がそれぞれ加熱コイル７〜９と操作入力部１９〜２１との間に配置されている。表示部２３〜２５は加熱調理器１のトッププレート５の前側に配置されている。表示部２３〜２５は、それぞれ、加熱コイル７〜９の動作の内容を表示する。表示部２３は加熱コイル７の動作の内容を表示し、表示部２４は加熱コイル８の動作の内容を表示し、表示部２５は加熱コイル９の動作の内容を表示する。このように、表示部２３〜２５は、加熱コイル７〜９のそれぞれに対応している。表示部２３〜２５は、それぞれ、例えば、マトリックス・ドット液晶装置を備えている。マトリックス・ドット液晶装置は、例えば、トッププレート５の幅方向に延びた帯形状を有する、フルドット液晶パネルである。
【００２９】
また、本体３は、加熱コイル７〜９の加熱に関する情報を音声出力するスピーカ２７を備える。スピーカ２７は、加熱調理器１の前面側に配置され、ユーザに対して音声案内を出力する。
【００３０】
図２に示すように、加熱調理器１は、本体３の内部に、制御部３１、及び、記憶部３３と、を備える。制御部３１は、例えばＣＰＵ又はマイクロプロセッサなどの処理装置であって、ＲＯＭ、ＲＡＭ、ハードディスク、ＳＳＤなどの記憶部３３に記憶されているプログラムを実行することによって種々の機能を果たすように構成されている。
【００３１】
制御部３１は、加熱コイル７〜９に流す電流量を制御するコイル制御部３５と、表示部２３〜２５の表示領域を制御する案内情報制御部３７と、案内情報の表示出力を制御する案内情報制御部４５と、調理案内の情報出力を制御する調理案内制御部４７と、を備える。コイル制御部３５、案内情報制御部３７、および調理案内制御部４７は、１つのＣＰＵ、マイクロプロセッサ、ＦＰＧＡから構成されてもよいし、複数のＣＰＵ、マイクロプロセッサ、ＦＰＧＡから構成されてもよい。
【００３２】
操作入力部１９〜２１の出力信号は制御部３１に入力されて加熱量等の設定を行う。操作入力部１９の操作指示に応じて、コイル制御部３５は、加熱コイル７の加熱の開始又は停止を制御する。コイル制御部３５は、加熱コイル７〜９に高周波電流を供給してトッププレート５に載置された容器の加熱を行う。また、コイル制御部３５は、加熱コイル７〜９に流す電流量を制御することで、加熱コイル７〜９からの加熱量（火力）を制御する。また、操作入力部１９〜２１の出力信号は、制御部３１に入力されているので、コイル制御部３５の他にも、案内情報制御部３７および調理案内制御部３９にも入力されている。
【００３３】
調理案内制御部３９は、予め定められた調理シーケンスにしたがって、適切な条件が成立したタイミングで調理案内情報を案内情報制御部３７に送る。適切な条件とは、温度センサ１８による検出温度が予め定められた温度条件を満たすか否か、または、検出温度が予め定められた温度に達してから予め定められた時間経過したか否か等の条件である。調理案内するアシストメニューごとに、これらの条件が設定されている。調理案内制御部３９が、これらの条件を満たしたと判断すると、調理案内制御部３９は、その条件に対応した調理案内を表示部２３〜２５から表示するように案内情報制御部３７に指示する。これらの調理シーケンスや調理案内は記憶部３３に記憶されている。
【００３４】
《表示部と操作入力部》
次に図４を参照して、表示部および操作部について詳細に説明する。操作入力部１９−２１は、それぞれ、第１操作部５１、第２操作部５３、第３操作部５５、及び、第４操作部５７を備える。第１操作部５１〜第４操作部５７は、例えば、静電容量式センサでもよいし、押しボタンでもよい。第１操作部５１〜第４操作部５７は、対応する加熱コイル７〜９の加熱動作を設定する。第１操作部５１は、時計の模様が印刷されており、主に、タイマー設定を選択するのに用いられる。第２操作部５３及び第３操作部５５は、それぞれ矢印の模様、例えば「＜」、「＞」の記号、が印刷されており、主に、メニュー選択および火力量やタイマー時間を設定するのに用いられる。第４操作部５７は、操作入力部と対応する加熱領域を示す模様が印刷されており、決定ボタンとして機能する。電源ボタン２２は、加熱調理器１の電源をオン・オフする機能を有する。
【００３５】
次に、図５および図６を参照する。表示部２３、２４、２５はそれぞれ同じ機能を有するので、表示部２３を代表例として説明する。表示部２３は、幅方向（Ｙ方向）に分割された第１分割表示領域６１、第２分割表示領域６２、及び第３分割表示領域６３を備える。第１分割表示領域６１は、奥行き方向（Ｘ方向）にさらに分割された上表示領域７１及び下表示領域７２を有する。第２分割表示領域６２も同様に、奥行き方向（Ｘ方向）にさらに分割された上表示領域７３及び下表示領域７４を有する。第３分割表示領域６３も同様に、奥行き方向（Ｘ方向）にさらに分割された上表示領域７５及び下表示領域７６を有する。
【００３６】
図４に示される電源ボタン２２が押下されると加熱調理器１に電源が投入され、図５に示される初期画面が表示部２３に表示される。表示部２３の初期画面において、例えば、第２分割表示領域６２の下表示領域７４には、第２操作部５３および５５のマークが表示されるので、ユーザは、第２操作部５３および５５が操作可能であることを認識することができる。なお、各分割表示領域の下表示領域に何も表示されていない場合、対応する各操作部が押下されても制御部３１は何も実行しない。このことは、本実施の形態であればユーザにも理解しやすい。例えば、第１分割表示領域６１の下表示領域７２に何も表示されていない。また、同様に、第３分割表示領域６３の下表示領域７６には、何も表示されていない。このように、制御部３１の案内情報制御部４５は、第１操作部５１〜第４操作部５７まで複数の操作部のうち、設定操作が無効状態になっている第１操作部５１や第４操作部５７に対応する第１分割表示領域６１の下表示領域７２や第３分割表示領域６３の下表示領域７６には何も表示させない。これにより、第１分割表示領域６１の奥行き方向前方に配置された第１操作部５１を操作しても何の機能も有さないことをユーザは認識することができる。同様に、第３分割表示領域６３の奥行き方向前方に配置された第４操作部５７は操作しても何の機能も有さないことをユーザが認識することができる。また、このような場合、下表示領域だけでなく上表示領域も含めた対応する分割表示領域に何も表示させなくてもよい。
【００３７】
第２操作部５３または第３操作部５５が押下されると、メニュー選択モードが起動し、図６のようなメニュー選択画面が表示される。図６は、メニュー選択モードにおいて表示されるメニュー選択画面である。第１分割表示領域６１の下表示領域７２には、第１操作部５１が押された場合の機能が示されている。ここでは、第１操作部５１が押下されると、「取消」の指示がされる。また、第３分割表示領域６３の下表示領域７６には、第３操作部５７が押された場合の機能が示されている。ここでは、第３操作部５７が押下されると、選択されたメニューの「スタート」の指示がされる。
【００３８】
第２分割表示領域６２の下表示領域７４には、第２操作部５３及び第３操作部５５が操作メニュー選択画面における選択キーであることを示す「メニュー」が表示されている。第２分割表示領域６２の上表示領域７３には、現在選択されている操作メニューである「加熱」が表示されている。第１分割表示領域６１の上表示領域７１には、第２操作部５３が押下された際に上表示領域７３に表示されるメニューとして切り替わる操作メニューが表示されている。第３分割表示領域６３の上表示領域７５には、第３操作部５７が押下された際に上表示領域７３に表示されるメニューとして切り替わる操作メニューが表示されている。
【００３９】
第２分割表示領域６２の上表示領域７３に、「加熱」が表示されている状態で、第４操作部５７が押下されると、加熱モードに移行して、対応する加熱コイル７に電流が流れて加熱コイル７から発熱される。図７は、加熱モードにおける表示部２３に表示される案内を示す。
【００４０】
加熱モードにおいて、第１分割表示領域６１の下表示領域７２には、対応する第１操作部５１の操作機能として、タイマー設定モードへの移行を示す「タイマー」が表示されている。第１分割表示領域６１の上表示領域７１には、対応する第１操作部５１の操作対象であるタイマーの状態として残り時間（分）が表示されている。
【００４１】
加熱モードにおいて、第２分割表示領域６２の下表示領域７４には、対応する第２操作部５３及び第３操作部５５の操作機能として、加熱コイル７の火力調整を示す「火力調整」が表示されている。第２分割表示領域６２の上表示領域７３には、対応する第２操作部５３及び第３操作部５５の操作対象である加熱コイル７の状態として加熱状態の「中火５」が表示されている。第２操作部５３が押下されると、コイル制御部３５は加熱コイル７に流れる電流量を低減することで火力を一段階下げて「中火４」を表示する。また、第３操作部５５が押下されると、コイル制御部３５は加熱コイル７に流れる電流量を増加することで火力を一段階上げて「強火６」を表示する。
【００４２】
このように、第２操作部５３および第３操作部５５による２つの操作部の操作内容が、１つの第２分割表示領域６２に表示される。これにより、例えば、火力の上げ下げなど２つの操作の結果を１つの表示領域で確認することができるので、ユーザに理解しやすい表示を提供することができる。
【００４３】
加熱モードにおいて、第３分割表示領域６３の下表示領域７６には、対応する第４操作部５７の操作機能として、加熱コイル７からの加熱の中止を示す「切」が表示されている。第３分割表示領域６３の上表示領域７５には、対応する第４操作部５７の操作対象である加熱コイル７の状態として加熱状態を示す「加熱」が表示されている。
【００４４】
次に、加熱モードにおいて、第１操作部５１が押下されると、タイマー設定モードへ移行する。図８は、タイマー設定モードにおいて表示部２３に表示される案内を示す。
【００４５】
タイマー設定モードにおいて、第１分割表示領域６１の下表示領域７２には、対応する第１操作部５１の操作機能として、加熱モードへの移行を示す「もどる」が表示されている。また、タイマー設定モード時の第１分割表示領域６１の上表示領域７１には、何も表示されない。
【００４６】
タイマー設定モードにおいて、第２分割表示領域６２の下表示領域７４には、対応する第２操作部５３及び第３操作部５５の操作機能として、タイマーの時間設定を示す「タイマー設定」が表示されている。第２分割表示領域６２の上表示領域７３には、対応する第２操作部５３及び第３操作部５５の操作対象であるタイマーの状態として設定時間（分）である「０：０６」が表示されている。第２操作部５３が押下されると、タイマー設定時間が１分単位で減少する。また、第３操作部５５が押下されると、タイマー設定時間が１分単位で増加する。
【００４７】
タイマー設定モードにおいて、第３分割表示領域６３の下表示領域７６には、対応する第４操作部５７の操作機能として、加熱コイル７からの加熱の中止を示す「切」が表示されている。第３分割表示領域６３の上表示領域７５には、対応する第４操作部５７の操作対象である加熱コイル７の状態として加熱状態を示す「加熱／中火５」が表示されている。
【００４８】
次に、図６が示すメニュー選択モードにおいて、第２操作部５３が押下されると、図９に示すように、第２分割表示領域６２の上表示領域７３には、「加熱」から「設定」に表示が変わる。また、第３分割表示領域６３の上表示領域７５には、「揚げ物」から「加熱」に表示が変わり、第１分割表示領域６１の上表示領域７１には、「設定」から新たに「フレンチトースト」に表示が変わる。これにより、ユーザは、メニュー選択画面が左へ遷移したように認識することができる。
【００４９】
次に、図６が示すメニュー選択画面において、第２操作部５３が押下されると、図９に示すように、別のメニュー選択画面に移行する。第２分割表示領域６２の上表示領域７３には、「加熱」から「設定」に表示が変わる。また、第３分割表示領域６３の上表示領域７５には、「揚げ物」から「加熱」に表示が変わり、第１分割表示領域６１の上表示領域７１には、「設定」から新たにアシストメニューの１つである「フレンチトースト」に表示が変わる。これにより、ユーザは、第２操作部５３を押下したことにより、メニュー選択画面が左方へ遷移したように認識することができる。
【００５０】
また、図６が示すメニュー選択画面において、第３操作部５５が押下されると、図１０に示すように、第２分割表示領域６２の上表示領域７３には、「加熱」から「揚げ物」に表示が変わる。また、第１分割表示領域６１の上表示領域７１には、「設定」から「加熱」に表示が変わる。さらに、第３分割表示領域６３の上表示領域７５には、「揚げ物」から新たにアシストメニューの１つである「ホットケーキ」に表示が変わる。これにより、ユーザは、第３操作部５５を押下したことにより、メニュー選択画面が右方へ遷移したように認識することができる。
【００５１】
図１０に示されるメニュー選択画面において、さらに、第３操作部５５が押下されると、アシストメニューのメニュー選択モードへ移行する。この移行をユーザにわかりやすくするために、第１分割表示領域６１〜第３分割表示領域６３のそれぞれの上表示領域７１、７３、７５を結合して、例えば、図１１に示されるような、アシストメニューへの表示切り替えを示す切り替え案内表示を表示する。
【００５２】
図１１に示されるように、各上表示領域７１、７３、７５が結合された上表示領域７７に、切り替え表示として「焼き物アシスト：１０メニュー」と表示される。表示部２３の結合された上表示領域７７全体に切り替え案内表示が表示されるので、ユーザの注意を引くことができる。また、第２分割表示領域６２の下表示領域７４には、「アシストメニュー」と表示され、第２操作部５３及び第３操作部５５の操作機能がアシストメニュー選択であることを案内する。アシストメニューへの切り替え表示は予め定められた時間経過後に消滅して、アシストメニュー選択モードへ移行する。なお、本実施の形態では、アシストメニューとして、例えば１０個のメニューの調理案内が記憶部３３に記憶されている。
【００５３】
なお、アシストメニュー選択モードにおいて、図１２に示されるように、第２分割表示領域６２の上表示領域７３に、選択候補のアシストメニューが表示される。図１２では、アシストメニューとして「ホットケーキ」が表示されている。また、第３分割表示領域６３の上表示領域７５には、次のアシストメニューの選択候補として「ハンバーグ」が表示されている。第１分割表示領域６１の上表示領域７１には、メニュー選択モードの「揚げ物」が表示されている。この状態で、第４操作部５７が押下されると、ホットケーキの調理を支援する調理案内が開始される。
【００５４】
アシストメニュー選択モードは、右方向へのメニュー遷移からだけでなく、左方向へのメニュー遷移からでも移行される。例えば、図９に示されるメニュー選択画面において、第２操作部５３が押下されると、図１１に示されるアシストメニューへの切り替え案内表示がされた後、アシストメニュー選択モードに移行して、図１３に示されるアシストメニュー選択画面が表示される。
【００５５】
図１３では、第２分割表示領域６２の上表示領域７３に、選択候補のアシストメニューとして「フレンチトースト」が表示されている。また、第１分割表示領域６１の上表示領域７１には、次のアシストメニューの選択候補として「スパニッシュオムレツ」が表示されている。第３分割表示領域６３の上表示領域７５には、メニュー選択モードの「設定」が表示されている。この状態で、第４操作部５７が押下されると、フレンチトーストの調理を支援する調理案内が開始される。
【００５６】
図１３に示されるアシストメニュー選択画面から、第２操作部５３を押下するごとに、第２分割表示領域６２に表示されるアシストメニューが入れ替わり、やがて、図１２に示す「ホットケーキ」がアシストメニューとして表示される。また、逆に、図１２のアシストメニュー選択画面から、第３操作部５５を押下するごとに、第２分割表示領域６２に表示されるアシストメニューが入れ替わり、やがて、図１３に示す「フレンチトースト」がアシストメニューとして表示される。このように、メニュー選択画面とアシストメニュー選択画面は、第２操作部５３または第３操作部５５のいずれかを押下し続けると循環する構成となっている。
【００５７】
なお、図１１に示されるような、各上表示領域７１、７３、７５が結合された上表示領域７７における表示は、アシストメニュー選択モードへの切り替え表示としてだけでなく、ユーザに調理アシスト案内や注意喚起等、加熱調理器１からユーザに案内する場合およびユーザに行動を促す場合に実施される。例えば、アシストメニューの選択時には、上表示領域７１、７３、７５のそれぞれを結合して一つの表示領域とし、結合した表示領域に調理工程を表示する。
【００５８】
例えば、アシストメニューとしてホットケーキが選択された場合、加熱量と加熱時間から調理対象のホットケーキを裏返すタイミングであると調理案内制御部３９が判断した場合、結合された上表示領域７７からホットケーキを裏返すことが案内される。例えば、図１４に示すように、ホットケーキを裏返すことを示す絵と文字が、結合された上表示領域７７に表示される。上表示領域７７の奥行き方向の長さＷｄ１は、下表示領域７２、７４、７６の奥行き方向の長さＷｄ２よりも長いので、ユーザが加熱調理器１の前方から離れていても、表示部２３の案内をより見やすく表示することができる。
【００５９】
また、操作入力部１９に何か異常が発生した場合、例えば、図１５に示されるように、結合された上表示領域７７に、操作入力部１９の異常を案内する表示をすることで、ユーザの注意を惹くことができる。
【００６０】
以上のように、第１操作部５１〜第４操作部５７を操作して加熱モードの動作状態を設定あるいは変更している時には、各上表示領域７１、７３、７５に火力やタイマーなどの情報を表示することで、ユーザは加熱モードの動作状態を認識することができ、ユーザへの注意喚起あるいはユーザの行動を促す時には、各上表示領域７１、７３、７５の領域を結合して表示領域を広げることで、ユーザに対して多くの情報を見やすく表示することができる。
【００６１】
次に、図１６を参照して、電源を投入してからアシストメニューを選択するまでの流れを説明する。図１６は、メニュー選択の流れを示すフローチャートである。ユーザが電源ボタン２２を押下すると、加熱調理器１の電源が投入される。電源が投入されると、ステップＳ１において、案内情報制御部３７は、表示部２３〜２５に、図６に示される初期画面を表示させる。この初期画面において、ユーザが、例えば、操作入力部１９の第２操作部５３または第３操作部５５を押下すると、ステップＳ２において、制御部３１は、押下された操作入力部１９および対応する表示部２３に対してメニュー選択モードを起動する。
【００６２】
メニュー選択モードにおいて、案内情報制御部３７は、図６に示されるメニュー選択画面を表示部２３に表示する。ユーザはメニュー選択画面において、第１操作部５１〜第４操作部５７を操作することにより、所望のメニューを選択してスタートさせることができる。ユーザが第２操作部５３または第３操作部５５を押すごとに、ステップＳ３において、案内情報制御部３７は、メニュー選択画面を遷移する。ステップＳ４のＹｅｓのように、メニュー選択画面の遷移がアシストメニュー選択モードへ移行する場合、ステップＳ５において、案内情報制御部３７は、表示部２３の上表示領域７１、７３、７５を統合して、結合された上表示領域７７にアシストメニュー選択モードへの切り替え案内表示をする。例えば、図１１に示されるように、表示部２３の結合された上表示領域７７にアシストメニュー選択モードへの移行を示す切り替え案内表示をする。
【００６３】
表示部２３に切り替え案内表示が予め定められた時間表示された後、ステップＳ６において、例えば、図１２に示すように、第２分割表示領域６２の上表示領域７３にアシストメニューが表示される。ユーザは、所望のアシストメニューであれば第４操作部５７を押すことで、ステップＳ８において、調理案内制御部３９および案内情報制御部３７により表示部２３から調理案内が開始される。
【００６４】
上表示領域７３に表示されたアシストメニューが、ユーザの所望するアシストメニューで無い場合、ユーザは、さらに第２操作部５３または第３操作部５５を押下することで、アシストメニューを変更させて、所望のアシストメニューを選択する。このようにして、ユーザは、所望のアシストメニューの調理案内を受けることができる。
【００６５】
本実施の形態の加熱調理器１は、加熱コイル７〜９と、加熱コイル７〜９の複数の操作内容をそれぞれ指示可能な複数の操作入力部１９〜２０と、幅方向に分割された第１〜第３分割表示領域６１〜６３を有する表示部２３〜２５と、を備える。第１〜第３分割表示領域６１〜６３は、それぞれ、奥行き方向にさらに分割された上表示領域７１、７３、７５と下表示領域７２、７４、７６とを有する。加熱調理器１は、第１〜第３分割表示領域６１〜６３の上表示領域７１、７３、７５に、対応する第１〜第４操作部５１、５３、５５、５７の操作対象の状態を示し、第１〜第３分割表示領域６１〜６３の下表示領域７２、７４、７６に、対応する第１〜第４操作部５１、５３、５５、５７の操作機能を示す。これだけの構成により、第１〜第４操作部５１、５３、５５、５７の操作機能が、第１〜第３分割表示領域６１〜６３の下表示領域７２、７４、７６に示されるので、複数の操作内容を指示可能な第１〜第４操作部５１、５３、５５、５７であっても、ユーザはどの操作部を操作すればよいか理解しやすい。また、第１〜第４操作部５１、５３、５５、５７の名称やマークと操作機能が異なったとしても、第１〜第３分割表示領域６１〜６３の下表示領域７２、７４、７６に示される操作機能を確認することができるので、操作ミスを防止することができる。また、第１〜第３分割表示領域６１〜６３の上表示領域７１、７３、７５に、対応する第１〜第４操作部５１、５３、５５、５７の操作対象の状態が示されているので、どの程度操作指示を出せばよいかユーザに理解しやすい。さらに、１つの操作部に対して複数の操作機能を持たせることができるので、操作部の数を低減することもでき、操作部の加熱調理器１上のレイアウトを容易にする。
【００６６】
また、第１〜第４操作部５１、５３、５５、５７のうち設定操作が無効状態になっている操作部がある場合は、無効状態になっている操作部に対応する分割表示領域の下表示領域に何も表示をさせない。これにより、ユーザは、どの操作部が操作をしても無効状態になっているかを容易に理解することができる。
【００６７】
また、第１〜第３分割表示領域６１〜６３の上表示領域７１、７３、７５の奥行き方向の長さＷｄ１が、下表示領域７２、７４、７６の奥行き方向の長さＷｄ２よりも長い。これにより、ユーザが表示部２３〜２５の近傍から離れていても、上表示領域７１、７３、７５に表示される内容がユーザに見やすい。
【００６８】
また、第１〜第３分割表示領域６１〜６３の下表示領域７２、７４、７６は、それぞれ、対応する第１〜第４操作部５１、５３、５５、５７のそれぞれと奥行き方向に互いに対向して配置されている。このように、各操作部と各分割表示領域の下表示領域とが互いに奥行き方向の延長上に位置するように配置されているので、ユーザは各操作部を操作した際に操作機能が表示される分割表示領域の下表示領域を見つけやすい。
【００６９】
また、少なくとも２つ以上、例えば、３つの第１〜第３分割表示領域６１〜６３のそれぞれの上表示領域７１、７３、７５を結合して、ユーザに行動を促す案内を表示する。このような表示により、ユーザの注意を惹くことができ、より確実にユーザに案内を伝達することができる。
【００７０】
また、調理工程の案内が表示されるアシストメニューを備え、加熱コイル７〜９の加熱量を調整する加熱メニューを選択可能なメニュー選択モードからアシストメニューを選択可能なアシストメニュー選択モードへ移行する際に、アシストメニュー選択モードへの切り替えを示す切り替え表示を表示部２３〜２５に表示する。アシストメニュー選択モードへの切り替え表示を表示部２３〜２５に表示するので、アシストメニュー選択画面への移行についてユーザの注意を惹くことができる。また、この切り替え表示を、表示部２３〜２５の各分割表示領域の上表示領域７１、７３、７５を結合した上表示領域７７から表示することで、よりユーザの関心を惹くことができる。
【００７１】
また、アシストメニューの選択時には、上表示領域７１、７３、７５のそれぞれを結合して一つの上表示領域７７とし、結合した上表示領域７７に調理工程を表示する。これにより、ユーザに対して調理工程をより見やすく案内することができる。
【００７２】
本開示は、上記実施形態のものに限らず、次のように変形実施することができる。
【００７３】
（１）上記実施の形態において、表示部２３〜２５は、６分割に分割されていたがこれに限らない。例えば、４分割表示でもよいし、８分割以上に分割して表示してもよい。
【００７４】
（２）上記実施の形態において、第１〜第３分割表示領域６１〜６３の３つの上表示領域７１、７３、７５を結合して、１つの上表示領域７７から案内表示をしていたがこれに限らない。上表示領域７１および７３または上表示領域７３および７５の２つの上表示領域を結合した領域により案内表示をしてもよい。
【００７５】
（３）上記実施の形態において、アシスト選択モードへの切り替えは、結合された上表示領域により案内されていたが、これに限らない。分割された上表示領域により案内してもよい。
【００７６】
（４）上記実施の形態において、案内情報制御部３７は、表示部２３〜２５から画像案内をすると共に、スピーカ２７から音声案内をしてもよい。ユーザは、画像と音声とにより案内されるので、より確実に加熱調理器１からの案内を理解することができる。
【００７７】
なお、上記様々な実施の形態および変形例のうちの任意の実施の形態を適宜組み合わせることにより、それぞれの有する効果を奏するようにすることができる。
【００７８】
本開示は、添付図面を参照しながら好ましい実施の形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施の形態における要素の組合せや順序の変化は、本開示の範囲及び思想を逸脱することなく実現し得るものである。
【符号の説明】
【００７９】
１      加熱調理器
３      本体
５      トッププレート
７、８、９  加熱コイル
１０    制御部
１１、１２、１３  マーカ
１５、１６、１７  発光部
１８      温度センサ
１９、２０、２１  操作入力部
２２      電源ボタン
２３、２４、２５  表示部
２７      スピーカ
３１      制御部
３３      記憶部
３５      コイル制御部
３７      案内情報制御部
３９      調理案内制御部
４１      コイル制御部
４３      調理制御部
４５      案内情報制御部
４７      調理案内制御部
５１      第１操作部
５３      第２操作部
５５      第３操作部
５７      第４操作部
６１      第１分割表示領域
６２      第２分割表示領域
６３      第３分割表示領域
７１、７３、７５  上表示領域
７２、７４、７６  下表示領域
７７      上表示領域
【図１】
2020035707.tif 000003
【図２】
2020035707.tif 000004
【図３】
2020035707.tif 000005
【図４】
2020035707.tif 000006
【図５】
2020035707.tif 000007
【図６】
2020035707.tif 000008
【図７】
2020035707.tif 000009
【図８】
2020035707.tif 000010
【図９】
2020035707.tif 000011
【図１０】
2020035707.tif 000012
【図１１】
2020035707.tif 000013
【図１２】
2020035707.tif 000014
【図１３】
2020035707.tif 000015
【図１４】
2020035707.tif 000016
【図１５】
2020035707.tif 000017
【図１６】
2020035707.tif 000018